(57)【要約】      （修正有）【課題】相手コネクタと係合状態の解除が信頼でき、テープ部材を有する電気コネクタを提供する。【解決手段】本考案は、凹み部とスリット１１２とが設けられる絶縁ハウジング１と、相手コネクタにロック可能になるロック機構３と、ロック機構の上方に位置される押圧部材４と、押圧部材に連接するテープ部材５と、を含むテープ部材を有する電気コネクタ１００において、ロック機構は凹み部に位置する主体部とロック弾片とを有し、押圧部材がテープ部材で後方にスライドすることよって、押圧部材が天板を下方に押出して、更に、ロック弾片を下方に移動させてロック解除を実現できる。【選択図】図１
0003232724.tif 000002
【実用新案登録請求の範囲】
【請求項１】
凹み部（１１１）と、前記凹み部（１１１）の前端側のスリット（１１２）とが設けられる上壁（１１）を有する絶縁ハウジング（１）と、
相手コネクタに電気的に接続する導電部材（２）と、
相手コネクタとの嵌合状態を維持するためのロック機構（３）と、
前記ロック機構（３）の上方に位置される押圧部材（４）と、
前記押圧部材（４）に連接するテープ部材（５）と、
を含むテープ部材を有する電気コネクタ（１００）において、
前記ロック機構（３）は、前記凹み部（１１１）に位置する主体部（３１）と、前記主体部（３１）から前方に延在するロック弾片（３２）とを有し、前記ロック弾片（３２）が前記主体部（３１）の天板（３３）から延在するように形成され、前記ロック弾片（３２）が前記スリット（１１２）まで延在して前記上壁（１１）を突出するように配置され、
前記押圧部材（４）が前記テープ部材（５）で後方へスライドすることよって、前記押圧部材（４）が前記天板（３３）を下方に押出して、更に、前記ロック弾片（３２）を下方に移動させてロック解除を実現できるテープ部材を有する電気コネクタ。
【請求項２】
前記ロック機構（３）の天板（３３）は、頂壁（３３２）と、前記頂壁（３３２）を突出する凸部（３３３）とが設けられ、
前記押圧部材（４）は、底面（４３）と、前記底面（４３）に位置し、前記凸部（３３３）を収容するための収容溝（４４）とが設けられ、
前記凸部（３３３）には、前記押圧部材（４）を後方に移動させる際に前記押圧部材（４）をガイドするために用いられる第一ガイド面（３３３１）が設けられることを特徴とする請求項１に記載のテープ部材を有する電気コネクタ。
【請求項３】
前記スリット（１１２）は二つを有し、前記上壁（１１）の両側にそれぞれ配置される、
前記ロック弾片（３２）は二つを有し、
前記凸部（３３３）は二つを有し、前記頂壁（３３２）の両側にそれぞれ位置され、前記天板（３３）にプレス成型により形成されることを特徴とする請求項２に記載のテープ部材を有する電気コネクタ。
【請求項４】
前記主体部（３１）に、後端での弾性片（３４６）が設けられ、
前記テープ部材（５）を放す際に、前記弾性片（３４６）は、前記押圧部材（４）を前方に押圧して押圧部材（４）を初期状態に戻らせることを特徴とする請求項２に記載のテープ部材を有する電気コネクタ。
【請求項５】
前記主体部（３１）は天板（３３）と、前記天板（３３）の下方に位置し、前記天板（３３）と離間するように配置される底板（３４）と、前記天板（３３）と前記底板（３４）を連接する連接部（３５）とを含み、
前記底板（３４）が前記上壁（１１）に固持され、
前記弾性片（３４６）が前記底板（３４）の後端から上方に折曲するように形成される二つを有し、前記弾性片（３４６）は反対方向にそれぞれ延在する二つを有し、少なくとも部分的に頂壁（３３２）を突出するように配置することを特徴とする請求項４に記載のテープ部材を有する電気コネクタ。
【請求項６】
前記底板（３４）は、開口部（３４２）と、前記開口部（３４２）の後方に位置する押圧部（３４３）が設けられ、
前記押圧部（３４３）は、前記開口部（３４２）の後端縁から上方に傾斜して延在するガイド片（３４４）が設けられ、
前記ガイド片（３４４）は、前記テープ部材（５）を当接するための円弧状のガイド面が設けられ、
前記テープ部材（５）は、前記開口部（３４２）を通過し、前記押圧部（３４３）の下方向から外まで出ていることを特徴とする請求項５に記載のテープ部材を有する電気コネクタ。
【請求項７】
前記テープ部材を有する電気コネクタ（１００）は、前記押圧部材（４）に対応する溝（６１）を有し、
前記押圧部材（４）が前記テープ部材（５）により前記溝（６１）にスライド可能になることを特徴とする請求項６に記載のテープ部材を有する電気コネクタ。
【請求項８】
前記テープ部材を有する電気コネクタ（１００）は、前記天板（３３）に上方に位置し、前記溝（６１）が設けられるシェル（６）を有し、
前記テープ部材を有する電気コネクタ（１００）は、前記シェル（６）と、前記底板（３４）と、前記絶縁ハウジング（１）を貫通する熱融柱（７）が設けられ、前記熱融柱（７）によって前記底板（３４）を前記シェル（６）と前記絶縁ハウジング（１）の間に固定することができることを特徴とする請求項７に記載のテープ部材を有する電気コネクタ。
【請求項９】
前記導電部材（２）は、前記絶縁ハウジング（１）に保持される回路基板であり、該回路基板に相手コネクタに導電的に接触するための導電パッドが設けられることを特徴とする請求項１に記載のテープ部材を有する電気コネクタ。
【請求項１０】
前記絶縁ハウジング（１）に前記上壁（１１）の下方での嵌合凹部（１０）を有し、
前記回路基板は、水平方向で第一接触部（２１）と、第二接触部（２２）と、第三接触部（２３）とを含み、
前記第二接触部（２２）は、第一接触部（２１）と第三接触部（２３）との間に位置され、その幅が第一接触部（２１）と第三接触部（２３）の幅より小さくなることを特徴とする請求項９に記載のテープ部材を有する電気コネクタ。
【考案の詳細な説明】
【技術分野】
【０００１】
本考案は、電気コネクタに関して、特に、テープ部材を有する電気コネクタに関する。
【背景技術】
【０００２】
従来から、種々の電気機器等において、テープ部材を電気コネクタは、ロック部材と、ロック部材に連結される連結テープ部材とを含む。ロック部材は、嵌合された相手コネクタの一部に係合されることによって嵌合状態を維持するための弾性アームを有する。相手コネクタの係合状態を解除する場合には、テープ部材を嵌合方向と反対の方向に向けて引っ張って操作することによって、弾性アームを弾性変位させて相手コネクタの係合状態を解除した上で相手コネクタとの間の抜去が行われる。
【考案の概要】
【考案が解決しようとする課題】
【０００３】
しかしながら、相手コネクタに対する抜去操作の場合に、テープ部材を引っ張って操作することによって相手コネクタの係合状態が解除され、テープ部材を引っ張る作用力が把握し難く、係合状態の解除が信頼できない。
【０００４】
それ故に本考案の課題は、相手コネクタと係合状態の解除が信頼でき、テープ部材を有する電気コネクタを提供することを目的とする。
【課題を解決するための手段】
【０００５】
本考案は、凹み部と、前記凹み部の前端側のスリットとが設けられる上壁を有する絶縁ハウジングと、
相手コネクタに電気的に接続する導電部材と、
相手コネクタとの嵌合状態を維持するためのロック機構と、
前記ロック機構の上方に位置される押圧部材と、
前記押圧部材に連接するテープ部材と、
を含むテープ部材を有する電気コネクタにおいて、
前記ロック機構は、凹み部に位置する主体部と、前記主体部からから前方に延在するロック弾片とを有し、前記ロック弾片が前記主体部の天板から延在するように形成され、前記ロック弾片が前記スリットまで延在して前記上壁を突出するように配置され、
前記押圧部材が前記テープ部材で後方へスライドすることよって、前記押圧部材が前記天板を下方に押出して、更に、前記ロック弾片を下方に移動させてロック解除を実現できることを特徴とする。
【０００６】
更に、本考案において、前記ロック機構の天板は、上壁と、前記上壁を突出する凸部とが設けられ、前記押圧部材は、底面と、前記底面に位置し、前記凸部を収容するための収容溝とが設けられ、前記凸部には、前記押圧部材を後方に移動させる際に前記押圧部材をガイドするために用いられる第一ガイド面が設けられることを特徴とする。
【０００７】
更に、本考案において、前記スリットは二つを有し、前記上壁１１の両側にそれぞれ配置される、前記ロック弾片は二つを有し、前記凸部は二つを有し、前記上壁の両側にそれぞれ位置され、前記天板にプレス成型により形成されることを特徴とする。
【０００８】
更に、本考案において、前記主体部に、後端での弾片が設けられ、前記テープ部材を放す際に、前記弾片は、前記押圧部材を前方に押圧して押圧部材を初期状態に戻らせることを特徴とする。
【０００９】
更に、本考案において、前記主体部は天板と、前記天板の下方に位置し、前記天板と離間するように配置される底板と、前記天板と前記底板を連接する連接部とを含み、前記底板が前記上壁に固持され、前記弾性片が前記底板の後端から上方に折曲するように形成される二つを有し、弾性片は反対方向にそれぞれ延在する二つを有し、少なくとも部分的に上壁を突出するように配置することを特徴とする。
【００１０】
更に、本考案において、前記底板は、開口部と、前記開口部の後方に位置する押圧部が設けられ、前記押圧部は、前記開口部の後端縁から上方に傾斜して延在するガイド片が設けられ、前記ガイド片は、前記テープ部材を当接するための円弧状のガイド面が設けられ、前記テープ部材は、前記開口部を通過し、前記押圧部の下方向から外まで出ていることを特徴とする。
【００１１】
更に、本考案において、前記テープ部材を有する電気コネクタは、前記押圧部材に対応する溝を有し、前記押圧部材が前記テープ部材により前記溝にスライド可能になることを特徴とする。
【００１２】
更に、本考案において、前記テープ部材を有する電気コネクタは、前記天板に上方に位置られ、前記溝が設けられるシェルを有し、前記テープ部材を有する電気コネクタは  前記シェルと、前記底板と、前記絶縁ハウジングを貫通する熱融柱が設けられ、前記熱融柱によって前記底板を前記シェルと前記絶縁ハウジングの間に固定することができることを特徴とする。
【００１３】
更に、本考案において、前記導電部材は、前記絶縁ハウジングに保持される回路基板であり、該回路基板に相手コネクタに導電的に接触するための導電パッドが設けられることを特徴とする。
【００１４】
更に、本考案において、前記絶縁ハウジングは前記上壁の下方での嵌合凹部を有し、前記回路基板は、水平方向で第一接触部と、第二接触部と、第三接触部とを含み、前記第二接触部は、第一接触部と第三接触部との間に位置され、その幅が第一接触部と第三接触部の幅より小さくなることを特徴とする。
【考案の効果】
【００１５】
従来技術に比べ、本考案は、押圧部材が設けられ、押圧部材はテープ部材に接続する。前記押圧部材は、テープ部材で後方にスライドすることよって、前記押圧部材が天板を下方に押出して、更に、ロック弾片を下方に移動させてロック解除を実現できる。このように、ロック解除する時に、押圧部材が天板にスライドして行ったことが保証されることでロック解除の信頼性が向上する。
【図面の簡単な説明】
【００１６】
【図１】本考案に係るテープ部材を有する電気コネクタの組立斜視図である。
【図２】図１に示すテープ部材を有する電気コネクタのほかの角度から見た組立斜視図である。
【図３】図２に示すテープ部材を有する電気コネクタの正面図である。
【図４】図１に示すテープ部材を有する電気コネクタの部分の分解斜視図である。
【図５】図４に示すテープ部材を有する電気コネクタのシェルが外した部分の分解斜視図である。
【図６】本考案に係るテープ部材を有する電気コネクタの押圧部材とシェルが分離された斜視図である。
【図７】図６に示すテープ部材を有する電気コネクタの正面図である。
【図８】本考案に係るテープ部材を有する電気コネクタの分解斜視図である。
【図９】図８に示すテープ部材を有する電気コネクタのほかの角度から見た分解斜視図である。
【図１０】図９に示すテープ部材を有する電気コネクタのほかの角度から見た分解斜視図である。
【図１１】図１０に示すテープ部材を有する電気コネクタのほかの角度から見た分解斜視図である。
【考案を実施するための形態】
【００１７】
以下、図面を合わせて、本考案の具体的な実施形態を詳細に説明する。いくつかの具体的な実施形態が存在する場合、衝突しない場合、これらの実施形態の特徴は互いに組み合わされる。関連図面を説明する場合、別段の説明がない限り、異なる図面の中の同じ数字は同じまたは類似した要素を表す。以下の例示的な具体的な実施形態で説明した内容は、本考案と一致する全部の実施形態を代表するものではなく、逆に、本考案の請求項に記載された、本考案のいくつかの方面に一致する装置、製品、及び／又は方法の一例だけである。
【００１８】
本考案において使用される用語は、本考案の保護範囲を制限することを目的とするものではなく、具体的な実施形態を説明するためにのみ使用される。本考案の明細書および実用新案請求の範囲において使用される単数の形式の「一種類」、「前記」、または「該当」は、多数の形式を含むことが意図され，文脈が明確に他の意味を表していない限りのものである。
【００１９】
本考案の明細書及び実用新案請求の範囲において使用される、例えば「第一」、「第二」及び類似の言葉は、任意の順序、数量又は重要性を示さず、特徴の命名を区別するために用いられるだけであることを理解される。同様に、「一つ」や「一」などの類似の言葉も数量制限を示さず、少なくとも一つの存在を意味する。別に指摘しない限り、本考案において「前」、「後」、「上」、「下」等の類似の言葉は、説明を便利にするために、ある特定の位置または空間的方向付けに限定されるものではない。「含む」または「有する」などの類似の言葉は開放的な表現方式であり、本考案に「複数」がある場合、その意味は二つ及び２つ以上を意味する。
【００２０】
以下、図１ないし図１１を参照し、本考案のテープ部材を有する電気コネクタ１００の実施状態に関する説明を図面に基づいて詳細に行う。テープ部材を有する電気コネクタ１００は、絶縁ハウジング１と、相手コネクタ（図示せず）に電気的に接続して信号伝送用の導電部材２と、前記絶縁ハウジング１に取付けられるロック機構３と、ロック機構３の上方に位置される押圧部材４と、押圧部材４に連接するテープ部材５と、前記絶縁ハウジング１に固持されるシェル６とを有する。
【００２１】
図２ないし図５を参照して、前記絶縁ハウジング１は、上壁１１と、底壁１２と、上壁１１及び底壁１２を連接する両側壁１３と、を含む。前記上壁１１と底壁１２及び両側壁１３により、相手コネクタに嵌合する嵌合凹部１０が取り囲まれて、形成されている。前記上壁１１に、後端側の凹み部１１１と、凹み部１１１に連通する前端側の二つのスリット１１２とが設けられる。本実施状態において、二つのスリット１１２は上壁１１の両側にそれぞれ配置される。
【００２２】
図２と図３を参照して、絶縁ハウジング１の幅方向に沿って、上壁１１に第一溝１１３と第二溝１１４が離間して配置される。前記第一溝１１３と第二溝１１４は、上壁１１を貫通するように形成されるので、前記上壁１１が第一壁部１１５と、第二壁部１１６と、第三壁部１１７とに分けられている。前記第一壁部１１５と第三壁部１１７の間に位置される第二壁部１１６には、第一案内溝１１６１が配置される。前記側壁１３に第二案内溝１３１が形成される。電気コネクタ１００が相手コネクタに嵌合される際に、前記第一案内溝１１６１と第二案内溝１３１による嵌合の案内が可能になる。
【００２３】
本実施状態において、導電部材２は、絶縁ハウジング１に保持される回路基板であり、水平方向で第一接触部２１と、第二接触部２２と、第三接触部２３とを含む。第一接触部２１と第二接触部２２と第三接触部２３とは、前記嵌合凹部１０に突出して間離するように配置される。前記第二接触部２２は、第一接触部２１と第三接触部２３との間に位置され、幅が第一接触部２１と第三接触部２３の幅より小さくなる。
【００２４】
第一壁部１１５と第二壁部１１６とは、前記第一接触部２１の上方に対応するように配置され、前記第三壁部１１７が前記第二接触部２２と第三接触部２３との上方に対応するように配置される。前記第一接触部２１と第二接触部２２と第三接触部２３に、相手コネクタに導電的に接触するための複数の導電パッドが設けられる。
【００２５】
勿論、他の実施状態において、導電部材２は、絶縁ハウジング１に保持される複数の導電端子でもよく、この場合に、前記第一接触部２１と第二接触部２２と第三接触部２３は絶縁ハウジング１にインサート成型される。導電端子は、組立或は嵌合成型等の方式で絶縁ハウジング１に固定され、且つ前記第一接触部２１と第二接触部２２と第三接触部２３まで延出している。導電端子の配置方式は当技術分野の技術人員に周知であり、本実施状態においては、説明しない。
【００２６】
図５を参照して、本実施状態において、前記絶縁ハウジング１は、前記凹み部１１１まで突出するように配置される一対の位置決め突起１１１１と、一対の位置決め突起１１１１の間に位置する貫通溝１１１２と、厚み方向にを貫通する一対の第一貫通孔１１１３を含む。位置決め突起１１１１がロック機構３を位置決めされることに使用され、テープ部材５は貫通溝１１１２を突き抜けて譲位を実現する。
【００２７】
図６至図１１を参照して、前記ロック機構３は、前記凹み部１１１に位置する主体部３１と主体部３１から前方に延在するロック弾片３２とを含む。本実施状態において、前記ロック機構３は、金属シートでプレス成型されて折曲するように形成される。前記主体部３１は天板３３と、前記天板３３の下方に位置し、前記天板３３と離間するように配置される底板３４と、前記天板３３と前記底板３４を連接する連接部３５とを含み、主体部３１は側面から見て「コ」字を呈している。
【００２８】
前記天板３３が前方に延在する延伸部３３１が設けられ、前記ロック弾片３２が前記延伸部３３１の側から折曲げて形成され、前記ロック弾片３２が前記延伸部３３１に直交するように配置される。本実施状態において、前記ロック弾片３２は、二つを有し、スリット１１２まで延在し、上方に上壁11を突出している。そのほか、前記天板３３は頂壁３３２と、頂壁３３２を突出する凸部３３３とを有する。前記凸部３３３は二つを有し、前記頂壁３３２の両側にそれぞれ位置される。本実施状態において、前記凸部３３３は天板３３にプレス成型により形成される。
【００２９】
図８至図９を参照して、前記凸部３３３は、一端で傾斜し設けられる第一ガイド面３３３１と、他端で傾斜し設けられる第二ガイド面３３３２と、第一ガイド面３３３１と第二ガイド面３３３２を連接する接続面３３３３と、を有する。第一ガイド面３３３１は、前記押圧部材４を後方に移動させる際に前記押圧部材４をガイドするために用いられ、前記第二ガイド面３３３２は、前記押圧部材４を前方に初期状態に戻る際に前記押圧部材４をガイドするために用いられる。
【００３０】
前記底板３４は、前記上壁１１に固定され、前記底板３４は、位置決め突起１１１１に対応する二つの位置決め穴３４１と、二つの位置決め穴３４１との間に位置する開口部３４２と、前記開口部３４２の後方に位置する押圧部３４３が設けられる。そのほか、前記底板３４は、第一貫通孔１１１３に対応する第二貫通孔３４７が設けられる。前記押圧部３４３は、前記開口部３４２の後端縁から上方に傾斜して延在するガイド片３４４が設けられる。ガイド片３４４は、テープ部材5を当接するための円弧状のガイド面が設けられる。前記テープ部材５は、開口部３４２を通過し、前記押圧部３４３の下方向から外まで出ている。
【００３１】
本考案の実施形態において、ロック弾片３２をロック解除した後に押圧部材４の初期状態に戻ることを容易に可能にするために、前記底板３４は、底板３４の後端からそれぞれ上方に折曲げられた弾性片３４６が設けられている。弾性片３４６は反対方向にそれぞれ延在する二つを有し、少なくとも部分的に頂壁３３２を突出するように配置する。
【００３２】
前記シェル６は、天板３３の上方に位置られ、前後方向に延在する溝６１と、第二貫通孔３４７に対応する第三貫通孔６２とが設けられる。本考案の実施形態において、前記電気コネクタ１００は、前記第三貫通孔６２と、前記第二貫通孔３４７と、及び前記第一貫通孔１１１３を貫通する熱融柱７が設けられ、前記熱融柱７によって前記底板３４を前記絶縁ハウジング１と前記シェル６との間に固定することができる。勿論、他の実施形態では、前記底板３４は、例えば、組立、嵌入成形等の方式により絶縁ハウジング１に固定される。
【００３３】
前記押圧部材４は、前記溝６１内に可動的に位置するスライド部４１と、前記テープ部材５を取付けるための取付孔４２とを含む。本考案の実施形態で、前記スライド部４１は前記押圧部材４の両側に位置し、前記シェル６が上記押圧部材４を上方に押圧することによって前記押圧部材４が上方に向けて前記シェル６から離脱することが防止できる。図１０を参照して、前記押圧部材４は、底面４３と、前記底面４３に位置し、前記凸部３３３を収容するための収容溝４４とが設けられる。
【００３４】
本考案の実施形態では、ロック解除前に、前記凸部３３３は、少なくとも部分的に収容溝４４に収容されている。従って、押圧部材４がロック弾片３２を下方に押圧しないようにする。ロック解除が必要である場合、押圧部材４は、テープ部材５を嵌合方向と反対の方向に向けて引っ張っていることによって、嵌合方向と反対の方向としての後方にスライドできる。前記凸部３３３が第一ガイド面３３３１によって収容溝４４から脱離できる。押圧部材４の高さは固定されるので、押圧部材４が後方にさらに向けて移動するにつれて、押圧部材４の底面４３が凸部３３３を下方に押出し、さらにロック弾片３２を下方に移動させてロック解除を実現する。この時、前記電気コネクタ１００と相手コネクタとの嵌合が解除される。押圧部材４の後端は弾性片３４６に押付して、前記弾性片３４６は、テープ部材５を放す際に、押圧部材４を前方に押圧するので押圧部材４を初期状態に戻らせる。
【００３５】
従来の技術と比べて、本考案は、押圧部材４が設けられ、押圧部材４はテープ部材５に接続する。前記押圧部材４は、テープ部材５で後方にスライドすることよって、前記押圧部材４が天板３３を下方に押出して、更に、ロック弾片３２を下方に移動させてロック解除を実現できる。このように、ロック解除する時に、押圧部材４が天板３３にスライドして行くことが保証されることでロック解除の信頼性が向上する。
【００３６】
本考案図の実施の形態では、前記凸部３３３は、ロック機構３に設けられ、押圧部材４の底面４３が凸部３３３を下方に押出することによりロック解除を実現する。勿論、他の実施の形態では、前記凸部３３３が押圧部材４の底部に設けられてもよく、前記凸部３３３はロック機構３を下方に押出すことにより、同様にロック解除の機能を実現できる。
【００３７】
以上、本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００３８】
１００  電気コネクタ
１  絶縁ハウジング
１０  嵌合凹部
１１  上壁
１１１  凹み部
１１１１  位置決め突起
１１１２  貫通溝
１１３  第一溝
１１４  第二溝
１１５  第一壁部
１１６  第二壁部
１１７  第三壁部
１２  底壁
１３  側壁
２  導電部材
２１  第一接触部
２２  第二接触部
２３  第三接触部
３  ロック機構
３１  主体部
３２  ロック弾片
３３  天板
３３１  延伸部
３３２  頂壁
３３３  凸部
３３３１  第一ガイド面
３３３２  第二ガイド面
３４  底板
３４１  位置決め穴
３４２  開口部
３４３  押圧部
３４４  ガイド片
３４６  弾性片
３４７  第二貫通孔
３５  連接部
４  押圧部材
４１  スライド部
４２  取付孔
４３  底面
４４  収容溝
５  テープ部材
６  シェル
６１  溝
６２  第三貫通孔
7 熱融柱
【図１】
0003232724.tif 000003
【図２】
0003232724.tif 000004
【図３】
0003232724.tif 000005
【図４】
0003232724.tif 000006
【図５】
0003232724.tif 000007
【図６】
0003232724.tif 000008
【図７】
0003232724.tif 000009
【図８】
0003232724.tif 000010
【図９】
0003232724.tif 000011
【図１０】
0003232724.tif 000012
【図１１】
0003232724.tif 000013